(57)【要約】【課題】注射針の皮膚への刺し込み時に刺し込みが容易で、かつその際の痛みの低減を達成する。【解決手段】先端部に穿刺用刃面を有する医療用注射針において、その先端部の断面形状が、正方形、扇形、楕円形、正方形であってしかも正方形の向かい合った角部の２つが外観円弧状形状となった形状、逆流滴形、円形であってかつ円形の劣弧の一部が鈍角（ほぼ１２０°）の角部となっている形状、両端がとがった楕円形、および正６角形より選ばれる形状の筒型であって、しかも針本体の軸線方向に対して斜めに切断して穿刺用刃面が形成されているものであって、前記穿刺用刃面の切除面が、刃先の形成される下角部と下角部から最も遠い頂部を結ぶ平面とのなす角度が直角より小さい角度とするか、ほぼ直角となるように形成されていることを特徴とするものである。（発明の効果）このような構成により注射針先端の切れ味がよくかつ痛みも低減できる。【選択図】  図１０
2004290542.tif 000002
【特許請求の範囲】
【請求項１】
先端部に穿刺用刃面を有する医療用注射針において、
その先端部の断面形状が、ほぼ正方形形状、ほぼ正方形形状であってしかも正方形形状の向かい合った角部の２つが外観円弧状形状となった形状、ほぼ円形形状であってかつ円形形状の劣弧の一部が鈍角（ほぼ１２０°）の角部となっている形状、ほぼ両端がとがった楕円形形状、およびほぼ正６角形形状よりなる群より選ばれる形状の筒型であり、
かつ針本体の軸線方向（長さ方向）に対して斜めに切断して穿刺用刃面が形成されているものであって、
しかも前記穿刺用刃面の切除面と、針の長さ方向の下角部および下角部から最も遠い頂部を結ぶ平面との角度がほぼ直角となるように形成されていることを特徴とする上記注射針。
【請求項２】
先端部に穿刺用刃面を有する医療用注射針において、
その先端部の断面形状が、ほぼ正方形形状、ほぼ扇形形状、ほぼ楕円型形状、ほぼ正方形形状であってしかも正方形形状の向かい合った角部の２つが外観円弧状形状となった形状、ほぼ逆流滴形形状、ほぼ円形形状であってかつ円形形状の劣弧の一部が鈍角（ほぼ１２０°）の角部となっている形状、ほぼ両端がとがった楕円形形状、およびほぼ正６角形形状よりなる群より選ばれる形状の筒型であり、
かつ針本体の軸線方向（長さ方向）に対して斜めに切断して穿刺用刃面が形成されているものであって、
しかも前記穿刺用刃面の切断面と、針の長さ方向の下角部および下角部から最も遠い頂部を結ぶ平面との角度が直角より小さい角度となるように形成されていることを特徴とする上記注射針。
【発明の詳細な説明】
【０００１】
【発明の属する分野】
本願発明は、注射器に装着する医療用の注射針に関するものである。
【０００２】
【従来技術】
注射針には一般の皮下用の細い注射針と人工透析用などの太い注射針に分類されている。これらの構造はいずれも注射針の先端部に注射針の長手方向に斜めに切断されて形成された穿刺用刃面を有しており、この穿刺用刃面にいろいろと工夫が施されているのが現状である。これらの注射針の材料は一般にステンレス鋼あるいはニッケルクロムを用いた鋼が使用されている。
【０００３】
そして、皮下用の細いものは円筒状の本体を研削などによって斜めに切除しテーパ状の尖端部すなわち穿刺用刃面を形成したいわゆるレギュラー型ものが多用されている。
【０００４】
一方、太い注射針の場合には細い注射針に比べて穿刺時の痛みが大きいところからこの痛さを低減させるために、たとえば、いわゆるランセットポイントと呼ばれる形状にしてあり、これは、円筒状の本体を、一方から研削などによって斜めに切除し、テーパ状の尖端部すなわち穿刺用刃面を構成しているが、この尖端部は、円筒状の本体の外周から接続しかつその本体の軸線方向に対して所定の角度（１０°〜１７°前後）で形成された第１の傾斜面と、この第１の傾斜面に接続しかつ刃先に接続しかつ円筒状の本体の軸線方向に対する角度が当該第１の傾斜面Ｂよりも大きな角度（２０°〜２５°前後）で形成された第２の傾斜面とから構成されているものである。
【０００５】
しかしながら、これらいずれの注射針でもまだ穿刺時の痛みが大きいなどのことから従来より穿刺用刃面の形状とその構造について各種の改善の提案がなされている。
【０００６】
たとえば、以下のような提案がなされている。
医療用注射針の先端部円筒形状の針の断面を長円形や楕円形などの形状とし針による肌の切れ巾を小さくして、かつ、先端部を鋭利に尖らすことによって肌に入り易くするとともに先端部に凹みを設けて、血管を捕らえ易くする提案がなされている（たとえば、特許文献１参照。）。
【０００７】
また、ロックウェル硬さ（Ｍ法）６５以上である合成樹脂組成物か、さらにロックウェル硬さ（Ｍ法）６５以上でかつ曲げ弾性率２０，０００ｋｇ／ｃｍ２以上である合成樹脂組成物を射出成形した後に針管部を延伸し、その延伸部分をウォータージェットにより切断して針刃先（すなわち穿刺用刃面）を形成した衛生性、強度、針刃の切れ味が金属製のものと同等以上の合成樹脂組成物からなる注射針も提案されている（たとえば、特許文献２参照。）。
【０００８】
さらに、先端部、底部、両側壁からなる穿刺部が、本体の中心軸に対して比較的小さい角度で切断されているとともに、先端部は底部を針状にして形成され、本体内に連通する溝が、上部を除いて底部と両側壁とで包み込まれて、先端に向かって先細りに形成させて、穿刺部が従来のものより長く、かつ溝が底部と両側壁で包み込まれていて鋭いため、硬い静脈に正確に刺し込みやすく、痛みがすくなく、また開口部が従来より大きいので、注射液等の注入、血の抜取りが容易とすることもが提案されている（たとえば、特許文献３参照。）。
【０００９】
さらにまた、使用中に注射針の先端周辺の組織を不用意に傷つけることがないようにするために、注射針の先端を中心軸方向に曲げ（その注射針の先端の曲がりによる変位量は、好ましくは、注射針外径の４分の１以上、３分の２以下、更に好ましくは、３分の１以上、２分の１以下である）、その鋭利な先端が周辺に当たりにくくする穿刺用刃面も提案されている（たとえば、特許文献４参照。）。
【００１０】
加えて、注射針の円筒状の本体の尖端部を、何れか一方から斜めに切除してテーパ状の尖端部（穿刺用刃面）を形成した注射針であって、穿刺用刃面が前記円筒状の本体の外周から接続しかつ当該本体の軸線方向に対して所定の角度（１０〜１５°）で形成された第１の傾斜面と、この第１の傾斜面に接続しかつ前記円筒状の本体の軸線方向に対する角度が当該第１の傾斜面よりも大きな角度（１５〜２０°）で形成された第２の傾斜面と、この第２の傾斜面に接続しかつ刃先と接続しかつ前記円筒状の本体の軸線方向に対する角度が当該第２の傾斜面よりも大きな角度（２１〜２５°）で形成された第３の傾斜面とを備え、かつっそれぞれの傾斜面の長さの比率は、４０％〜５０％、５％〜１５％、３５％〜５５％とすることにより傾斜面の接続点（ジャンクション）における穿刺時の抵抗力の極大値をなくし、切れ味に優れ、痛みの少ない注射針とすることも提案されている（たとえば、特許文献５参照。）。
【００１１】
また、穿刺用刃面の先端部に凹形状加工するか、あるいはさらに凹部の内面を面取りし，広げることによって、採血時，注射針の先端が吸引時，血管の内壁に吸着しにくくした注射針の構造も提案されている（たとえば、特許文献６参照。）。
【００１２】
そして、人体の皮膚等の肉体組織に刺入される中空状をした医療用の注射針の先端部には、軸心方向に対して傾斜状に研削された第一のカット面と、該第一のカット面の先端側において左右が山形状に研削される第二、第三のカット面とを形成して針先端に稜線を形成してなる医療用注射針において、円筒外周面は、前記稜線の長さを短くするため針先端側ほど肉薄となるよう針軸回り方向および軸心方向に湾曲した湾曲面にすることにより、第二、第三のカット面により形成される稜線の長さを小さいものにして、刺入圧の低下を計り、刺入時の痛さの緩和を図りながら、鋭利なコーナー部の存在をなくして刺入状態においての組織損傷を回避できるようにして注射による二次災害の発生を低減できるようにしたものも提案されている（たとえば、特許文献７参照。）。
【００１３】
そしてさらに、先端を充分小さな径とし、使用した際、痛み及び不快感を減少し得る注射針の製造方法するために、円筒状のステンレス製パイプに対し、スウェージング加工、チューブレディーシングミル加工、ロールダイス加工の何れかを採用し、パイプを一部又は全体にわたるテーパ形状に基づいて先細り状態とするか、又は段階差形状に基づき先細り状態とすることにより、使用の際、痛み及び不快感を減少し得る程度に先端の径を小さくした注射針の製造方法が提案されている（たとえば、特許文献８参照。）。
【００１４】
しかしながら、このような注射針も、穿刺部の先端が彎曲しているため、かえって注射針の方向が定まらないため正確な位置に注射できず、又、静脈に先端が当たったとき、硬い静脈から先端がそれる欠点があったり、先端部を細くしすぎてかえって血管を突き抜けて血管の付近の組織をいためてしまう恐れがあるとかの問題点があり、必ずしも十分であるとはいえない。
【００１５】
特許文献１
特開平８−２５２３１２号公報
特許文献２
特開平７−５１３７１号公報
特許文献３
特開平９−５６８１９号公報
特許文献４
特開２０００−２１７９１３号公報
特許文献５
特開２０００−２６２６１５号公報
特許文献６
特開２００２−２４８０９４号公報
特許文献７
特開２００２−２９１８８３号公報
特許文献８
特開２００２−３０７１２２号公報
【００１６】
【発明が解決しようとする課題】
本願発明は、従来の注射針の欠点にかんがみて、これらを改善するとともに注射針の皮膚への刺し込み時に刺し込みが容易で、かつその際の痛みの低減を達成しようとするものである。すなわち、本願発明は、注射針の先端部の穿刺用刃面の形状と先端部の断面構造にさらに改良を加えたものである。
【００１７】
【課題を解決する手段】
そこで、本願発明は、上述の課題を解決するために、先端部に穿刺用刃面を有する医療用注射針において、
その先端部の針管の断面形状が、ほぼ正方形形状、ほぼ扇形形状、ほぼ楕円型形状、ほぼ正方形形状であってしかも正方形形状の向かい合った角部の２つが外観円弧状形状となった形状、ほぼ逆流滴形形状（あるいは逆雨垂れ形状）、ほぼ円形形状であってかつ円形形状の劣弧の一部が鈍角（ほぼ１２０°）の角部となっている形状、ほぼ両端がとがった楕円形形状、およびほぼ正６角形形状より選ばれる形状の筒型であって、しかも針管本体の軸線方向（長さ方向）に対して斜めに切断（切除）して穿刺用刃面が形成されているものであって、前記穿刺用刃面の切除面と、針の下角部（刃先の形成される下角部）および下角部から最も遠い頂部を結ぶ平面との角度が直角より小さい角度とするか、ほぼ直角となるように形成されていることを特徴とするものである。
【００１８】
すなわち、請求項１の発明は、
先端部に穿刺用刃面を有する医療用注射針において、その先端部の断面形状が、ほぼ正方形形状、ほぼ正方形形状であってしかも正方形形状の向かい合った角部の２つが外観円弧状形状となった形状、ほぼ円形形状であってかつ円形形状の劣弧の一部が鈍角（ほぼ１２０°）の角部となっている形状、ほぼ両端がとがった楕円形形状、およびほぼ正６角形形状よりなる群より選ばれる形状の筒型であり、
しかも針本体の軸線方向（長さ方向）に対して斜めに切断（切除）して穿刺用刃面が形成されているものであって、
さらに前記穿刺用刃面の切除面と、針の長さ方向の下角部および下角部から最も遠い頂部を結ぶ平面とのなす角度がほぼ直角となるように形成されていることを特徴とするものである。
【００１９】
また、請求項２の発明は、先端部に穿刺用刃面を有する医療用注射針において、
その先端部の針管の断面形状が、ほぼ正方形形状、ほぼ扇形形状、ほぼ楕円型形状、ほぼ正方形形状であってしかも正方形形状の向かい合った角部の２つが外観円弧状形状となった形状、ほぼ逆流滴形形状（あるいは逆雨垂れ形状）、ほぼ円形形状であってかつ円形形状の劣弧の一部が鈍角（ほぼ１２０°）の角部となっている形状、ほぼ両端がとがった楕円形形状、およびほぼ正６角形形状よりなる群より選ばれる形状の筒型であり、
しかも針本体の軸線方向（長さ方向）に対して斜めに切断（切除）して穿刺用刃面が形成されているものであって、
さらに前記穿刺用刃面の切除面が、針の長さ方向の下角部および下角部から最も遠い頂部を結ぶ平面とのなす角度が直角より小さい角度となるように形成されていることを特徴とするものである。
【００２０】
まず、針先端部の断面形状について説明する。
ほぼ正方形形状としては、針管が直角のような角部を有していると注射針として使用した場合には痛みが生ずるので好ましくなく、角部は面取りされているか丸みを帯びていることが好ましい。また、必ずしも正方形でなくてもよく、外観正方形の形状であればよい。また、４つの辺は直線である必要はなく多少外側に張り出した円弧の一部を形成したものであってもよい。角部の最先端に刃先が形成される。この形状のものとしては、たとえば、図４および図８に示されるような形状のものが例示される。
【００２１】
ほぼ扇形形状としては、三角形の一辺が半円形形状となったものであればよく、三角形としては直角２等辺三角形であって、斜辺が半円形となっているものが好ましい。扇の要部の角部の針の最先端に刃先が形成される。この形状のものとしては、たとえば、図１２に示されるような形状のものが例示される。
【００２２】
ほぼ楕円型形状としては、外観楕円形形状をしたものであればどのようなものでも使用できる。楕円形の形状には長円形形状も包含される。楕円系形状の長軸の角部の針の最先端に刃先が形成される。この形状のものとしては、たとえば、図１６に示されるような形状のものが例示される。
【００２３】
ほぼ正方形形状であってしかも正方形形状の向かい合った角部の２つが外観円弧状形状となった形状としては、正方形形状の部分は外観正方形形状のものであればよい。１つの角部の針の最先端に刃先が形成される。この形状のものとしては、たとえば、図１８に示されるような形状のものが例示される。
【００２４】
ほぼ逆流滴形形状（あるいは逆雨垂れ形状）としては、いわゆる雨垂れ形状ないし流滴形の上下が逆さになったものであればどのような形状のものでも使用できる。雨垂れ形状の尖端の角部の最先端に刃先が形成される。この形状のものとしては、たとえば、図２０に示されるような形状のものが例示される。
【００２５】
ほぼ円形形状であってかつ円形の劣弧の一部が鈍角（ほぼ１２０°）の角部となっている形状としては、半円未満の部分すなわち劣弧の一部が鈍角の角部となっているものであればよく、鈍角としてほぼ１２０°の角度のものであるものが好ましい。この鈍角の角部の長さ方向の最先端に刃先が形成される。この形状のものとしては、たとえば、図２２に示されるような形状のものが例示される。
【００２６】
ほぼ両端がとがった楕円形形状としては、外観楕円形形状の長軸の外周部分がとがった形状となっていればよい。とがった形状の角部の最先端に刃先が形成される。この形状のものとしては、たとえば、図２４に示されるような形状のものが例示される。
【００２７】
ほぼ正６角形形状としては、外観正六角形状のものであればよく角部は面取りされているか、多少丸みを帯びているほうがよい、この１つの角部の最先端に刃先が形成される。この形状のものとしては、たとえば、図２６に示されるような形状のものが例示される。
【００２８】
つぎに、穿刺用刃面の形成について説明する。
針本体の軸線方向（長さ方向）に対して斜めに切断（切除）して穿刺用刃面が形成されるものであるが、この際穿刺用刃面である切除面と、図５および図９さらに図３や図７にみるように最先端に刃先の形成される針本体の長さ方向の下角部と下角部から最も遠い頂部を結ぶ平面との角度がほぼ直角となるか、あるいは直角より小さい角度となるように切断されるものである。
【００２９】
この下角部と頂部は、先端部の断面形状がほぼ正方形形状である場合には、正方形の１つの角部と向かい合った角部（対向する角部）がそれぞれ下角部と頂部となり、ほぼ扇形形状である場合には、扇形の要が下角部、半円形の頂点が頂部となり、ほぼ楕円形形状ないし長円形形状の場合は、楕円の長軸の一方の端部が下角部、他方の端部が頂部となり、ほぼ正方形形状でしかも正方形形状の向かい合った角部の２つが外観円弧状形状となっている形状の場合には、残る２つの角部の一方が下角部、他方が頂部となり、ほぼ逆流滴形形状あるいは逆雨垂れ形状の場合には、凸状ないし尖端となっている箇所が下角部、尖端より一番遠い卵形の頂部が頂部となり、ほぼ円形形状でかつ円形形状の劣弧の一部が鈍角（ほぼ１２０°）の角部となっている形状の場合には、この角部が下角部、この角部より一番遠い円形部分の頂部が頂部となり、そしてほぼ正６角形形状の場合には、１つの角部が下角部、向かい合った角部すなわち下角部から一番遠い角部が頂部となる。
【００３０】
穿刺用刃面、すなわち、切除開始部から刃先にかけて形成された切除面は、通常は同一平面を形成しているが、同一平面ではなく、切除開始部から刃先にかけて凹部が形成されている円筒の周面のような形状となっていてもよい。この場合には、同一平面のものより刃先が鋭くなっており、穿刺しやすいという利点がある。
【００３１】
本願発明の注射針を製造する際に使用される材料としては、従来の周知の材料を使用することができる。
【００３２】
たとえば、ステンレス鋼、ニッケルクロムを用いた鋼などの金属材料、プラスチック材料としてはポリエーテルサルホン，ポリサルホン，ポリアミドイミド，ポリエーテルイミド，ポリイミド，ポリカーボネート，ポリエステル，ポリアミド，ポリプロピレン，ポリアリレート，ポリメチルペンテン，変性フェニレンオキシド及び液晶ポリエステルなどの合成樹脂組成物などである。
このような本願発明の構成をとることにより、注射時に血管を傷めたりすることもなく、注射針先端の切れ味がよくかつ痛みも低減できるとともに、構造が簡単であるために製造も容易であるなどの利点がある。
【００３３】
本願発明の注射針を図を用いて説明するが、この説明に本願発明が限定されるものではない。
【００３４】
図１は、注射器の全体の概略を示したもので、本願発明は、点線の円で囲まれた注射針の先端部の改良された構造に関するものである。
【００３５】
図１において、１は注射針、２は注射器の本体、３は針本体あるいは針管、４は針本体の後端部に取り付けられた針基をそれぞれ示す。
【００３６】
図２８は、従来の典型的な注射針の先端部の構造を示すものである。この従来の注射針は、円筒状の先端部を円筒状の針本体の軸線方向（長さ方向）に対して斜めに切除して穿刺用刃面が形成されている。すなわち、切除開始部Ｂ０から先端部の刃先Ａ０に向かって円筒状の針管を斜めに切除して穿刺用刃面を形成したものである。この際、切除開始部から針先に向かって時計回り方向の傾斜面１０１と反時計回り方向の傾斜面１０２が形成される。この２つの傾斜面は同一平面上にあり、かつ軸線方向へ傾斜する角度も同じである。そして、先端部の断面形状が円筒状であるためにどうしても、注射針を皮膚に刺し込むときに痛みを伴ったりすることが避けることができない。このために従来の技術のところで指摘したような各種各様の改良が提案されているが、いまいちである。
【００３７】
図２ないし図５は、本願発明の先端部の形状の第１の例を示す概略説明図である。
【００３８】
ここで、図２は、注射針の先端部の形状を示す概略説明の平面図を、図３は図２に示す先端部の正面図を、図４は図２のＸ１−Ｘ１断面図を、さらに図５は図２のＹ１−Ｙ１断面図をそれぞれ示すものである。
【００３９】
この例では、医療用注射針の先端部の穿刺用刃面は、先端部の断面形状がほぼ正方形形状の筒型であって、かつその対角線方向に傾斜して切断がなされるとともに、その切断された面、すなわち切除面が対角線の構成する面とほぼ直角であるように切除された構造となっている。
【００４０】
この先端部は、図４にみるようにその断面形状がほぼ正方形形状の筒型であり、針管１０の正方形形状の１つの角を図３のように縦方向の頂部とし、向かい合った角の部分を下角部とし、頂部Ｃ１から下角部Ｄ１に向けて、すなわち切除開始部Ｂ１から刃先Ａ１にかけて傾斜して切除面を形成して穿刺用刃面としたものである。この際、切除する面、すなわち切除面１５は頂部Ｃ１と下角部Ｄ１を結ぶ平面１７とのなす角度α１がほぼ直角となるように形成される。
【００４１】
このために、下角部Ｄ１から傾斜面１１および傾斜面１２への距離あるいは高さは図５にみるように同じである。なお図５において１６は切除された部分（切除部分）を示す。そして、刃先Ａ１をはさむ２つの傾斜面Ｅ１、Ｆ１が注射針を皮膚に刺すときに皮膚を切り開いて注射針を挿入しやすくする。すなわち、刃先Ａ１を三角形の頂点とした穿刺用刃が構成されてスムーズに皮膚に刺し込むことができるという利点が生じ、それに伴う痛みも非常に低減する。
【００４２】
図６ないし図９は、本願発明の先端部の形状の第２の例を示す概略説明図である。
【００４３】
ここで、図６は、注射針の先端部の形状を示す概略説明の平面図を、図７は図６に示す先端部の正面図を、図８は図６のＸ２−Ｘ２断面図を、さらに図９は図６のＹ２−Ｙ２断面図をそれぞれ示すものである。
【００４４】
この例では、医療用注射針の先端部の穿刺用刃面は、先端部の断面形状がほぼ正方形形状の筒型であって、かつその対角線方向に傾斜して切断がなされるとともに、その切断された面、すなわち切除面が対角線の構成する面に傾斜した角度であるように切除された構造となっている。
【００４５】
この先端部は、図８にみるようにその断面形状がほぼ正方形形状の筒型であり、針管２０の正方形形状の１つの角を図７にみるように縦方向の頂部Ｃ２とし、向かい合った角の部分を下角部Ｄ２とし、頂部Ｃ２から下角部Ｄ２に向けて、すなわち切除開始部Ｂ２から刃先Ａ２にかけて傾斜して切除して穿刺用刃面としたものであるが、この際、切除する面、すなわち切除面２５は頂部Ｃ２と下角部Ｄ２を結ぶ平面２７とのなす角度α２が直角より小さい角度となるように形成される。このためこの切除面２５は図９にみるように横方向に傾斜している。
【００４６】
このために、下角部Ｄ２から傾斜面２１および傾斜面２２への距離あるいは高さは図９にみるように同じではなく、傾斜面２１のほうが傾斜面２２よりも高い位置にある。なお、図９において２６は切除された部分（切除部分）を示す。そして、刃先Ａ１をはさむ２つの傾斜面Ｅ２、Ｆ２のうち傾斜面２１のＥ２のほうがが高い位置にあり、この部分の刃面Ｅ２が匕首のような働きをして非常に皮膚を切り開きやすくするので、注射針を皮膚に刺すときに皮膚を切り開いて注射針を挿入しやすくする。すなわち、刃先Ａ２を三角形の頂点とした穿刺用刃のうちとくに一方の刃面Ｅ２に切り開く力が集中して皮膚を切り開く役目をするので、スムーズに皮膚に刺し込むことができるという利点が生じ、それに伴う痛みがそれだけ和らぐことになる。
【００４７】
図１０ないし図１３は、本願発明の先端部の形状の第３の例を示す説明図である。
【００４８】
ここで、図１０は、注射針の先端部の形状を示す概略説明図の平面図を、図１１は図１０に示す先端部の正面図を示し、図１２は図９のＸ３−Ｘ３断面図を、図１３は図１０のＹ３−Ｙ３断面図をそれぞれ示すものである。
【００４９】
この例では、医療用注射針の先端部の穿刺用刃面は、先端部の断面形状がほぼ扇形形状の筒型であって、かつ扇形形状の筒型を頂部Ｃ３から扇形の要の下角部Ｄ３方向に傾斜して切断して形成されているとともに、その切断された面、すなわち切除面３５が頂部Ｃ３から扇形の要の下角部Ｄ３の構成する縦方向の面に直角より小さい傾斜した角度であるように切除された構造となっている。
【００５０】
この先端部は、図１２にみるようにその断面形状がほぼ扇形形状の筒型であり、針管３０の扇形形状の頂部を図１１や図１２などにみるように縦方向の頂部Ｃ３とし、要部分を下角部Ｄ３とし、頂部Ｃ３から下角部Ｄ３に向けて、すなわち切除開始部Ｂ３から刃先Ａ３にかけて傾斜して切除面を形成して穿刺用刃面としたものであるが、この際、切除する面、すなわち切除面３５は頂部Ｃ３と下角部Ｄ３を結ぶ平面３７とのなす角度α３が直角より小さい角度となるように形成される。このためこの切除面３５は図１３にみるように横方向に傾斜している。そして、針先Ａ３は下角部Ｄ３の最先端に形成されている。
【００５１】
このために、下角部Ｄ３から傾斜面３１および傾斜面３２への距離あるいは高さは図１３にみるように同じではなく、傾斜面３１のほうが傾斜面３２よりも高い位置にある。なお、図１３において３６は切除された部分（切除部分）を示す。そして、刃先Ａ３をはさむ２つの傾斜面Ｅ３、Ｆ３のうち傾斜面３１のＥ３のほうがが高い位置にあり、この部分の刃面Ｅ３が匕首のような働きをして非常に皮膚を切り開きやすくするので、注射針を皮膚に刺すときに皮膚を切り開いて注射針を挿入しやすくする。すなわち、刃先Ａ３を三角形の頂点とした穿刺用刃のうちとくに一方の刃面Ｅ３に切り開く力が集中して皮膚を切り開く役目をするので、スムーズに皮膚に刺し込むことができるという利点が生じ、それに伴う痛みがそれだけ和らぐことになる。
【００５２】
図１４ないし図１７は、本願発明の先端部の形状の第４の例を示す説明図である。
【００５３】
ここで、図１４は、注射針の先端部の形状を示す概略説明図の平面図を、図１５は図１４に示す先端部の正面図を示し、図１６は図１４のＸ４−Ｘ４断面図を、図１７は図１４のＹ４−Ｙ４断面図をそれぞれ示すものである。
【００５４】
この例では、医療用注射針の先端部の穿刺用刃面は、先端部の断面形状がほぼ楕円形形状ないし長円形形状の筒型であって、かつ楕円形形状の筒型を断面の楕円形状の長軸一方の周面の頂部Ｃ４から長軸の他方の周面の下角部Ｄ４方向に傾斜して切断して形成されているとともに、その切断された面、すなわち切除面４５が頂部Ｃ４から下角部Ｄ４の構成する縦方向の面、すなわち長軸の形成する面に直角より小さい傾斜した角度であるように切除された構造となっている。
【００５５】
この先端部は、図１６にみるようにその断面形状がほぼ楕円形形状（ないし長円形形状）の筒型であり、針管４０の楕円形形状の頂部を図１５や図１６などにみるように縦方向の頂部Ｃ４とし、頂部の反対側の縦方向の下方部分を下角部Ｄ３とし、頂部Ｃ４から下角部Ｄ４に向けて、すなわち切除開始部Ｂ４から刃先Ａ４にかけて傾斜して切除面を形成して穿刺用刃面としたものであるが、この際、切除する面、すなわち切除面４５は頂部Ｃ４と下角部Ｄ４を結ぶ平面４７（すなわち、長軸によって形成される平面）とのなす角度α４が直角より小さい角度となるように形成される。このためこの切除面４５は図１７にみるように横方向に傾斜している。そして、針先Ａ４は図１０や図１１にみるように下角部Ｄ４の最先端に形成されている。
【００５６】
このために、下角部Ｄ４から傾斜面４１および傾斜面４２への距離あるいは高さは図１７にみるように同じではなく、傾斜面４１のほうが傾斜面４２よりも高い位置にある。なお、図１７において４６は切除された部分（切除部分）を示す。そして、刃先Ａ４をはさむ２つの傾斜面Ｅ４、Ｆ４のうち傾斜面４１のＥ４のほうがが高い位置にあり、このＥ４の刃面が匕首のような働きをして非常に皮膚を切り開きやすくするので、注射針を皮膚に刺すときに皮膚を切り開いて注射針を挿入しやすくする。すなわち、刃先Ａ４を三角形の頂点とした穿刺用刃のうちとくに一方の刃面Ｅ４に切り開く力が集中して皮膚を切り開く役目をするので、スムーズに皮膚に刺し込むことができるという利点が生じ、それに伴う痛みがそれだけ和らぐことになる。
【００５７】
図１８ないし図１９は、本願発明の先端部の形状の第５の例を示すものである。この例では、上述の例における平面図と正面図を省略してあり、これらの例におけるＸ−Ｘ断面図とＹ−Ｙ断面図に対応する図面によりこの例を説明するものである。
【００５８】
図１８は、Ｘ−Ｘ断面図に対応する針管の断面図を、図１９は、Ｙ−Ｙ断面図に対応する穿刺用刃面部分の断面図をそれぞれ示す。
【００５９】
この例では、医療用注射針の先端部の断面形状は、ほぼ正方形形状の筒型であって、しかも正方形形状の向かい合った角部の２つが外観円弧状形状となっているものである。
【００６０】
すなわち、この例の医療用注射針の先端部の穿刺用刃面は、先端部の断面形状がほぼ正方形形状であって、しかも正方形形状の向かい合った角部の２つが外観円弧状形状となっている筒型を、向かい合う角部の１つを頂部Ｃ５とし、他方の角部を下角部Ｄ５としてこの対角線方向に頂部Ｃ５から下角部Ｄ５方向に傾斜して切断して形成されているとともに、その切断された面、すなわち切除面５５が頂部Ｃ５から下角部Ｄ５の構成する縦方向の面、すなわち対角線の形成する面に直角より小さい傾斜した角度であるように切除された構造となっている。そして、針先（図示せず）は下角部Ｄ５の最先端に形成されている。
【００６１】
図において、５０は針管、５１および５２は傾斜面、５５は穿刺用刃面を形成する際の切除面、５６は切除部分、５７は頂部Ｃ５と下角部Ｄ５を結ぶ平面、α５は切除面５５と平面５７とのなす角度、Ｃ５は頂部、およびＤ５は下角部をそれぞれ示す。
【００６２】
この先端部は、図１８にみるようにその断面形状がほぼほぼ正方形形状であって、しかも正方形形状の向かい合った角部の２つが外観円弧状形状となっている筒型であり、針管５０の上部の角部である頂部を図１５や図１６などにみるように縦方向の頂部Ｃ５とし、頂部の反対側の縦方向の下方の角部を下角部Ｄ５とし、頂部Ｃ５から下角部Ｄ５に向けて、切除開始部（図示せず）から刃先（図示せず）にかけて傾斜して切除面を形成して穿刺用刃面としたものであるが、この際、切除する面、すなわち切除面５５は頂部Ｃ５と下角部Ｄ５を結ぶ平面５７とのなす角度α５が図１９にみるように直角より小さい角度となるように形成される。このためこの切除面５５は図１９にみるように横方向に傾斜している。
【００６３】
このために、下角部Ｄ５から傾斜面５１および傾斜面５２への距離あるいは高さは図１９にみるように同じではなく、傾斜面５１のほうが傾斜面５２よりも高い位置にある。なお、図１９において５６は切除された部分（切除部分）を示す。そして、刃先に近い傾斜面のうち傾斜面５１のほうがが高い位置にあり、この刃面が匕首のような働きをして非常に皮膚を切り開きやすくするので、注射針を皮膚に刺すときに皮膚を切り開いて注射針を挿入しやすくする。すなわち、刃先に近い傾斜面のうち傾斜面５１の穿刺用の刃面に切り開く力が集中して皮膚を切り開く役目をするので、スムーズに皮膚に刺し込むことができるという利点が生じ、それに伴う痛みがそれだけ和らぐことになる。
【００６４】
図２０ないし図２１は、本願発明の先端部の形状の第６の例を示すものである。この例では、図１８および図１９に示した例のように、平面図と正面図を省略し、Ｘ−Ｘ断面図とＹ−Ｙ断面図に対応する図面によりこの例を説明するものである。
【００６５】
図２０は、Ｘ−Ｘ断面図に対応する針管の断面図を、図２１は、Ｙ−Ｙ断面図に対応する穿刺用刃面部分の断面図をそれぞれ示す。
【００６６】
この例では、医療用注射針の先端部の先端部の断面形状は、ほぼ逆流滴形形状（あるいは逆雨垂れ形状）の筒型となっているものである。
【００６７】
すなわち、この例の医療用注射針の先端部の穿刺用刃面は、先端部の断面形状がほぼ逆流滴形形状、あるいは逆雨垂れ形状、あるいはマーキーズ形状となっている筒型を、凸状ないし尖端となっている角部を下角部Ｄ６とし、卵形の頂部すなわち下角部から一番遠い箇所を頂部Ｃ６とし、頂部Ｃ６から下角部Ｄ６方向に傾斜して切断して形成されているとともに、その切断された面、すなわち切除面６５が頂部Ｃ６から下角部Ｄ６を結ぶ縦方向の面６７に直角より小さい傾斜した角度であるように切除された構造となっている。
【００６８】
図において、６０は針管、６１および６２は傾斜面、６５は穿刺用刃面を形成する際の切除面、６６は切除部分、６７は頂部Ｃ６と下角部Ｄ６を結ぶ平面、α６は切除面６５と平面６７とのなす角度、Ｃ６は頂部、およびＤ６は下角部をそれぞれ示す。そして、針先（図示せず）は下角部Ｄ６の最先端に形成されている。
【００６９】
この先端部は、図２１にみるようにその断面形状がほぼ逆流滴形形状（あるいは逆雨垂れ形状）の筒型であり、針管６０の上部の頂部を図１５や図１６などの例にみるように縦方向の頂部Ｃ６とし、頂部の反対側の縦方向の下方の角部を下角部Ｄ６とし、頂部Ｃ６から下角部Ｄ６に向けて、切除開始部（図示せず）から刃先（図示せず）にかけて傾斜して切除面を形成して穿刺用刃面としたものであるが、この際、切除する面、すなわち切除面６５は頂部Ｃ６と下角部Ｄ６を結ぶ平面６７とのなす角度α６が図２１にみるように直角より小さい角度となるように形成される。このためこの切除面６５は図２１にみるように横方向に傾斜している。
【００７０】
このために、下角部Ｄ６から傾斜面６１および傾斜面６２への距離あるいは高さは図２１にみるように同じではなく、傾斜面６１のほうが傾斜面６２よりも高い位置にある。なお、図２１において６６は切除された部分（切除部分）を示す。そして、刃先に近い傾斜面のうち傾斜面６１のほうが高い位置にあり、この刃面が匕首のような働きをして非常に皮膚を切り開きやすくするので、注射針を皮膚に刺すときに皮膚を切り開いて注射針を挿入しやすくする。すなわち、刃先に近い傾斜面のうち傾斜面６１の穿刺用の刃面に切り開く力が集中して皮膚を切り開く役目をするので、スムーズに皮膚に刺し込むことができるという利点が生じ、それに伴う痛みがそれだけ和らぐことになる。
【００７１】
図２２ないし図２３は、本願発明の先端部の形状の第７の例を示すものである。この例では、図１８および図１９の例に示したように、平面図と正面図を省略してあり、Ｘ−Ｘ断面図とＹ−Ｙ断面図に対応する図面によりこの例を説明するものである。
【００７２】
図２２は、Ｘ−Ｘ断面図に対応する針管の断面図を、図２３は、Ｙ−Ｙ断面図に対応する穿刺用刃面部分の断面図をそれぞれ示す。
【００７３】
図において、７０は針管、７１および７２は傾斜面、７５は穿刺用刃面を形成する際の切除面、７６は切除部分、７７は頂部Ｃ７と下角部Ｄ７を結ぶ平面、α７は切除面７５と平面７７とのなす角度、Ｃ７は頂部、およびＤ７は下角部をそれぞれ示す。そして、針先（図示せず）は下角部Ｄ７の最先端に形成されている。
【００７４】
この先端部は、図２２にみるようにその断面形状がほぼ円形形状であって、かつ円形形状の劣弧の一部が鈍角（ほぼ１２０°）の角部となっている筒型であり、針管７０の角部を下角部Ｄ７とし、この下角部より一番距離の遠い円形形状部分を頂部Ｃ７とし、頂部Ｃ７から下角部Ｄ７に向けて、切除開始部（図示せず）から刃先（図示せず）にかけて傾斜して切除面を形成して穿刺用刃面としたものであるが、この際、切除する面、すなわち切除面７５は頂部Ｃ７と下角部Ｄ７を結ぶ平面７７とのなす角度α７が図２３にみるように直角より小さい角度となるように形成される。このためこの切除面７５は図２３にみるように横方向に傾斜している。
【００７５】
このために、下角部Ｄ７から傾斜面７１および傾斜面７２への距離あるいは高さは図２３にみるように同じではなく、傾斜面７１のほうが傾斜面７２よりも高い位置にある。なお、図２３において７６は切除された部分（切除部分）を示す。そして、刃先に近い傾斜面のうち傾斜面７１のほうが高い位置にあり、この刃面が匕首のような働きをして非常に皮膚を切り開きやすくするので、注射針を皮膚に刺すときに皮膚を切り開いて注射針を挿入しやすくする。すなわち、刃先に近い傾斜面のうち傾斜面７１の穿刺用の刃面に切り開く力が集中して皮膚を切り開く役目をするので、スムーズに皮膚に刺し込むことができるという利点が生じ、それに伴う痛みがそれだけ和らぐことになる。
【００７６】
図２４ないし図２５は、本願の発明の先端部の形状の第８の例を示すものである。この例では、図１８および図１９の例に示したように、平面図と正面図を省略してあり、Ｘ−Ｘ断面図とＹ−Ｙ断面図に対応する図面によりこの例を説明する。
【００７７】
図２４は、Ｘ−Ｘ断面図に対応する針管の断面図を、図２５は、Ｙ−Ｙ断面図に対応する穿刺用刃面部分の断面図をそれぞれ示す。
【００７８】
図において、８０は針管、８１および８２は傾斜面、８５は穿刺用刃面を形成する際の切除面、８６は切除部分、８７は頂部Ｃ８と下角部Ｄ８を結ぶ平面、α８は切除面８５と平面８７とのなす角度、Ｃ８は頂部、およびＤ８は下角部をそれぞれ示す。そして、針先（図示せず）は下角部Ｄ８の最先端に形成されている。
【００７９】
この先端部は、図２４にみるようにその断面形状がほぼ両端がとがった楕円形形状の筒型であり、針管８０の断面形状の両端がとがった楕円形状の１つのとがった頂部を図１５や図１６などの例にみるように縦方向の頂部Ｃ８とし、頂部とは反対側の縦方向の下方のとがった角部を下角部Ｄ８とし、頂部Ｃ８から下角部Ｄ８に向けて、切除開始部（図示せず）から刃先（図示せず）にかけて傾斜して切除面を形成して穿刺用刃面としたものであるが、この際、切除する面、すなわち切除面８５は頂部Ｃ８と下角部Ｄ８を結ぶ平面８７とのなす角度α８が図２５にみるように直角より小さい角度となるように形成される。このためこの切除面８５は図２５にみるように横方向に傾斜している。
【００８０】
このために、下角部Ｄ８から傾斜面８１および傾斜面８２への距離あるいは高さは図２５にみるように同じではなく、傾斜面８１のほうが傾斜面８２よりも高い位置にある。なお、図２５において８６は切除された部分（切除部分）を示す。そして、刃先に近い傾斜面のうち傾斜面８１のほうが高い位置にあり、この刃面が匕首のような働きをして非常に皮膚を切り開きやすくするので、注射針を皮膚に刺すときに皮膚を切り開いて注射針を挿入しやすくする。すなわち、刃先に近い傾斜面のうち傾斜面８１の穿刺用の刃面に切り開く力が集中して皮膚を切り開く役目をするので、スムーズに皮膚に刺し込むことができるという利点が生じ、それに伴う痛みがそれだけ和らぐことになる。
【００８１】
図２６ないし図２７は、本願発明の先端部の形状の第９の例を示すものである。この例では、図１８および図１９の例に示したように、平面図と正面図を省略してあり、Ｘ−Ｘ断面図とＹ−Ｙ断面図に対応する図面によりこの例を説明するものである。
【００８２】
図２６は、Ｘ−Ｘ断面図に対応する針管の断面図を、図２７は、Ｙ−Ｙ断面図に対応する穿刺用刃面部分の断面図をそれぞれ示す。
【００８３】
図において、９０は針管、９１および９２は傾斜面、９５は穿刺用刃面を形成する際の切除面、９６は切除部分、９７は頂部Ｃ９と下角部Ｄ９を結ぶ平面、α９は切除面９５と平面９７とのなす角度、Ｃ９は頂部、およびＤ９は下角部をそれぞれ示す。そして、針先（図示せず）は下角部Ｄ９の最先端に形成されている。
【００８４】
この先端部は、図２６にみるようにその断面形状がほぼ正６角形形状の筒型であり、針管９０の上部の頂部を図１５や図１６などの例にみるように縦方向の頂部Ｃ９とし、頂部の反対側の縦方向の下方の角部を下角部Ｄ９とし、頂部Ｃ９から下角部Ｄ９に向けて、切除開始部（図示せず）から刃先（図示せず）にかけて傾斜して切除面を形成して穿刺用刃面としたものであるが、この際、切除する面、すなわち切除面９５は頂部Ｃ９と下角部Ｄ９を結ぶ平面９７とのなす角度α９が図２７にみるように直角より小さい角度となるように形成される。このためこの切除面９５は図２７にみるように横方向に傾斜している。
【００８５】
このために、下角部Ｄ９から傾斜面９１および傾斜面９２への距離あるいは高さは図２７にみるように同じではなく、傾斜面９１のほうが傾斜面９２よりも高い位置にある。なお、図２７において９６は切除された部分（切除部分）を示す。そして、刃先に近い傾斜面のうち傾斜面９１のほうが高い位置にあり、この刃面が匕首のような働きをして非常に皮膚を切り開きやすくするので、注射針を皮膚に刺すときに皮膚を切り開いて注射針を挿入しやすくする。すなわち、刃先に近い傾斜面のうち傾斜面９１の穿刺用の刃面に切り開く力が集中して皮膚を切り開く役目をするので、スムーズに皮膚に刺し込むことができるという利点が生じ、それに伴う痛みがそれだけ和らぐことになる。
【００８６】
【発明の効果】
このような本願発明の構成をとることにより、注射時に血管を傷めたりすることもなく、注射針先端の切れ味がよくかつ痛みも低減できるとともに、構造が簡単であるために製造も容易であるなどの利点がある。
【図面の簡単な説明】
【図１】注射針の全体の概略説明図である。
【図２】注射針の先端部の形状の第１の例を示す概略説明図である。
【図３】図２に示す先端部の正面図を示す。
【図４】図２のＸ１−Ｘ１断面図を示す。
【図５】図２のＹ１−Ｙ１断面図を示す。
【図６】注射針の先端部の形状の第２の例を示す概略説明図の平面図である。
【図７】図６に示す先端部の正面図を示す。
【図８】図６のＸ２−Ｘ２断面図を示す。
【図９】図６のＹ２−Ｙ２断面図を示す。
【図１０】注射針の先端部の形状の第３の例を示す概略説明図の平面図である。
【図１１】図１０に示す先端部の正面図を示す。
【図１２】図１０のＸ３−Ｘ３断面図を示す。
【図１３】図１０のＹ３−Ｙ３断面図を示す。
【図１４】注射針の先端部の形状の第４の例を示す概略説明図の平面図である。
【図１５】図１４に示す先端部の正面図を示す。
【図１６】図１４のＸ４−Ｘ４断面図を示す。
【図１７】図１４のＹ４−Ｙ４断面図を示す。
【図１８】注射針の先端部の形状の第５の例を示す針管の断面図を示す。
【図１９】図１８の第５の例の穿刺用刃面の一断面図を示す。
【図２０】注射針の先端部の形状の第６の例を示す針管の断面図を示す。
【図２１】図２０の第６の例の穿刺用刃面の一断面図を示す。
【図２２】注射針の先端部の形状の第７の例を示す針管の断面図を示す。
【図２３】図２２の第７の例の穿刺用刃面の一断面図を示す。
【図２４】注射針の先端部の形状の第８の例を示す針管の断面図を示す。
【図２５】図２４の第８の例の穿刺用刃面の一断面図を示す。
【図２６】注射針の先端部の形状の第９の例を示す針管の断面図を示す。
【図２７】図２６の第９の例の穿刺用刃面の一断面図を示す。
【図２８】従来の注射器の先端部を示す概略図を示す。
【符号の説明】
１：注射針
２：注射器の本体
３：針本体あるいは針管
４：針基
１０、２０、３０、４０、５０、６０、７０、８０、９０：針管
１１、１２、２１、２２、３１、３２、４１、４２、５１、５２、６１、６２、７１、７２、８１、８２、９１、９２、１０１、１０２：傾斜面
１５、２５、３５、４５、５５、６５、７５、８５、９５：切除面
１６、２６、３６、４６、５６、６６、７６、８６、９６：切除部分
１７、２７、３７、４７、５７、６７、７７、８７、９７：頂部と下角部を結ぶ面
Ａ０、Ａ１、Ａ２、Ａ３、Ａ４：刃先
Ｂ０、Ｂ１、Ｂ２、Ｂ３、Ｂ４：傾斜開始部分
Ｃ１、Ｃ２、Ｃ３、Ｃ４、Ｃ５、Ｃ６、Ｃ７、Ｃ８、Ｃ９：頂部
Ｄ１、Ｄ２、Ｄ３、Ｄ４、Ｄ５、Ｄ６、Ｄ７、Ｄ８、Ｄ９：下角部
Ｅ１、Ｆ１：刃先Ａ１をはさむ傾斜面
Ｅ２、Ｆ２：刃先Ａ２をはさむ傾斜面
Ｅ３、Ｆ３：刃先Ａ３をはさむ傾斜面
Ｅ４、Ｆ４：刃先Ａ４をはさむ傾斜面
α１、α２、α３、α４、α５、α６、α７、α８、α９：切除面の軸と、頂部と下角部とを結ぶ面の軸とのなす角度
【図１】
2004290542.tif 000003
【図２】
2004290542.tif 000004
【図３】
2004290542.tif 000005
【図４】
2004290542.tif 000006
【図５】
2004290542.tif 000007
【図６】
2004290542.tif 000008
【図７】
2004290542.tif 000009
【図８】
2004290542.tif 000010
【図９】
2004290542.tif 000011
【図１０】
2004290542.tif 000012
【図１１】
2004290542.tif 000013
【図１２】
2004290542.tif 000014
【図１３】
2004290542.tif 000015
【図１４】
2004290542.tif 000016
【図１５】
2004290542.tif 000017
【図１６】
2004290542.tif 000018
【図１７】
2004290542.tif 000019
【図１８】
2004290542.tif 000020
【図１９】
2004290542.tif 000021
【図２０】
2004290542.tif 000022
【図２１】
2004290542.tif 000023
【図２２】
2004290542.tif 000024
【図２３】
2004290542.tif 000025
【図２４】
2004290542.tif 000026
【図２５】
2004290542.tif 000027
【図２６】
2004290542.tif 000028
【図２７】
2004290542.tif 000029
【図２８】
2004290542.tif 000030